【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  文書に自動的にハイパーリンクを挿入する方法であって、
１つ以上の所定の形式に内容が適合する１つ以上の文書を探索し、
前記１つ以上の文書の探索結果に基づいて、１つ以上の前記文書の１つ以上の部分をマークし、
１つの前記文書の少なくとも１つのマークされた部分にそれぞれ関連付けられ、かつ前記文書の、１つ以上の前記マークされた部分の内容に基づくフォーマットをそれぞれ有する１つ以上のハイパーリンクを、前記１つのマークされた部分の内容に関する文書を探索することなく、生成する方法。
【請求項２】  コンピュータのシステムであって、
１つ以上の所定の形式に内容が適合する１つ以上の文書を探索する手段と、
前記１つ以上の文書の探索結果に基づいて、１つ以上の前記文書の１つ以上の部分をマークする手段と、
１つの前記文書の少なくとも１つのマークされた部分にそれぞれ関連付けられ、かつ前記文書の、１つ以上の前記マークされた部分の内容の少なくとも一部分に基づくフォーマットをそれぞれ有する１つ以上のハイパーリンクを、前記１つのマークされた部分の内容に関する文書を探索することなく、生成する手段と、
を備えるコンピュータのシステム。
【請求項３】  コンピュータのシステムであって、
プロセッサと、
該プロセッサに結合される記憶装置と、を備え、
該記憶装置は、
１つ以上の所定の形式に内容が適合する１つ以上の文書を探索するための第１命令セットと、
前記１つ以上の文書の探索結果に基づいて、１つ以上の前記文書の１つ以上の部分をマークするための第２命令セットと、
１つの前記文書の少なくとも１つのマークされた部分にそれぞれ関連付けられ、かつ前記文書の、１つ以上の前記マークされた部分の内容に基づくフォーマットをそれぞれ有する１つ以上のハイパーリンクを、前記１つのマークされた部分の内容に関する文書を探索することなく、生成するための第３命令セットと、
を記憶するコンピュータのシステム。
【請求項４】  コンピュータが読取り可能な媒体であって、
１つ以上の所定の形式に内容が適合する１つ以上の文書を探索するための第１命令セットと、
前記１つ以上の文書の探索結果に基づいて、１つ以上の前記文書の１つ以上の部分をマークするための第２命令セットと、
１つの前記文書の少なくとも１つのマークされた部分にそれぞれ関連付けられ、かつ前記文書の、１つ以上の前記マークされた部分の内容に基づくフォーマットをそれぞれ有する１つ以上のハイパーリンクを、前記１つのマークされた部分の内容に関する文書を探索することなく、生成するための第３命令セットと、
を備える媒体。
【請求項５】  文書に対するハイパーリンクを自動的に定める方法であって、
前記文書の、１つ以上の部分をマークし、
前記文書の、１つ以上の前記マークされた部分に対するハイパーリンクであって、かつ前記文書の、１つの前記マークされた部分の少なくとも一部分の形式又は内容に基づく情報をそれぞれ含む１つ以上のハイパーリンクを、前記文書の、前記１つのマークされた部分の内容に関する文書を探索することなく、定める方法。
【請求項６】  各ハイパーリンクは、前記文書の、１つの前記マークされた部分の少なくとも一部分を含む、請求項５記載の方法。
【請求項７】  各ハイパーリンクは、すべての前記ハイパーリンクに共通のドメインネームと、前記文書の前記マークされた部分の１つの少なくとも一部分と、を含む、請求項５記載の方法。
【請求項８】  各ハイパーリンクは、すべての前記ハイパーリンクに共通のドメインネームと、前記文書の前記マークされた部分の１つの少なくとも一部分の構文上または意味上の分析に基づく情報と、を含む請求項５記載の方法。
【請求項９】  １つ以上の法律的引用を含む文書を自動的に処理する方法であって、
前記文書の１つ以上の部分であって、それぞれ少なくとも１つの法律的引用を含む前記部分をマークし、
前記文書の、１つ以上の前記マークされた部分に対するハイパーリンクであって、前記文書の前記マークされた部分内の前記１つの法律的引用の形式又は内容に基づく情報をそれぞれ含む１つ以上のハイパーリンクを、前記１つのマークされた部分の内容に関する文書を探索することなく生成し、
１つの前記ハイパーリンクの選択に応答して、前記文書をホスティングする第１コンピュータを、前記１つのハイパーリンクに関連付けられた第２コンピュータへと接続し、
第１コンピュータを第２コンピュータに接続するのに応答して、ユーザに関連付けられた当座預金口座情報をユーザに問合わせ、
前記当座預金口座情報を検証し、
前記当座預金口座情報の肯定的な検証結果に応答して、前記文書の前記マークされた部分内の前記１つの法律的引用の形式又は内容に基づく情報に基づいて、第２コンピュータに関連するデータベースを、前記法律的引用に対応する文書について探索し、
前記法律的引用に対応する前記文書の少なくとも一部を前記第１コンピュータへ転送する方法。
【請求項１０】  各ハイパーリンクは、前記文書の、１つの前記マークされた部分の少なくとも一部分を含む、請求項９記載の方法。
【請求項１１】  各ハイパーリンクは、すべての前記ハイパーリンクに共通のドメインネームと、前記文書の前記マークされた部分の１つの少なくとも一部分と、を含む、請求項９記載の方法。
【請求項１２】  各ハイパーリンクは、すべての前記ハイパーリンクに共通のドメインネームと、前記文書の前記マークされた部分の１つの少なくとも一部分の構文上または意味上の分析に基づく情報と、を含む、請求項９記載の方法。
【請求項１３】  コンピュータのシステムにおいてハイパーリンクを定める方法であって、
前記ハイパーリンクへ関連付けのために、第１文書の一部をマークし、
前記ハイパーリンクのための２つ以上の宛先を識別し、
予め定められ記憶された１つ以上の優先順位に基づいて、前記２つ以上の宛先のうちのどの１つの宛先へ前記ハイパーリンクが向けられるかを定める方法。
【請求項１４】  １つ以上の優先的なハイパーリンクの宛先、コスト、又はアクセス時間に関する、予め記憶された１つ以上の優先順位を検索し、
前記２つ以上の宛先のうちのどの１つの宛先へ前記ハイパーリンクが向けられるかを定める際に、検索された前記優先順位に基づいて前記１つの宛先を選択する請求項１３記載の方法。
【請求項１５】  エラーを含むハイパーリンクをリダイレクトする方法であって、
前記ハイパーリンクのための代替のドメインネームをユーザ入力を待つことなしに自動的に選択し、
ハイパーリンクに関連付けられるドメインネームを前記代替のドメインネームで置換する方法。
【請求項１６】  文書にハイパーリンクを自動的に挿入する方法であって、
意味、構文、またはフォーマットに基づいて特定の内容について１つ以上の文書を探索し、
前記１つ以上の文書の探索結果に基づいて、１つ以上の前記文書の１つ以上の部分をマークし、
前記文書の、前記１つ以上のマークされた部分の内容に基づくフォーマットと、前記文書の前記マークされた部分の少なくとも１つの位置に基づいた前記文書内の位置とをそれぞれ有する１つ以上のハイパーリンクを、前記内容に関する外部ドキュメントを探索することなく、前記文書の中へ生成しかつ埋め込む方法。
【請求項１７】  コンテンツの利用不能、ＵＲＬ文法の誤り、不正な認証情報の不正、又はユーザとのコンテンツへのアクセス協定によって、エラーまたは警告となるハイパーリンクを処理する方法であって、
前記ハイパーリンクを検索し、
前記ハイパーリンクの１つ以上の元の部分を新しいドメインネームへ関連付け、
前記新しいドメインネームへと前記ハイパーリンクを再ルーティングする接続を試みる方法。
【請求項１８】  ドメインネームを含んだハイパーリンクを処理する方法であって、
前記ハイパーリンク内に含まれ、関連するコンピュータ化されたオペレーションまたはサービスを表わすオペレーション名を検出し、
前記ドメインネームに関連付けられるコンピュータシステムが、前記関連するコンピュータ化されたオペレーションまたはサービスをサポートするか否かを判断し、
前記ドメインネームに関連付けられるコンピュータシステムが、前記関連するコンピュータ化されたオペレーションまたはサービスをサポートをサポートしないとき、他のドメインネームに関連付けられる他のコンピュータシステムへ、前記ハイパーリンクをルーティングする方法。
【請求項１９】  ハイパーリンクまたはリソースロケータ用のデータ構造であって、
ドメインネームと、
コンピュータオペレーション識別子と、
前記コンピュータオペレーション識別子に対応するコンピュータオペレーションと併用すべく文書から取出されるパラメータと、
を備えるデータ構造。
【請求項２０】  前記コンピュータオペレーション識別子が探索又は検出オペレーションを示し、前記パラメータが、文書内に存在する引用の少なくとも一部を含む、請求項１９記載のデータ構造。
【請求項２１】  文書におけるハイパーリンクのデータ構造であって、
特定のコンテンツへのアクセスに使用するオペレーションを識別する情報を含むオペレーションネームフィールドと、
前記ハイパーリンクを生成したアプリケーションプログラムを識別する情報を含むリクエストソースフィールドと、
前記オペレーションネームフィールドで識別されるオペレーションの実行に使用する情報を含むオペレーション固有パラメータフィールドと、
を備えるデータ構造。
【請求項２２】  ハイパーリンクまたは文書内に埋め込まれるリソースロケータのデータ構造であって、
ドメインネームと、
文書への引用と、
を備えるデータ構造。
【請求項２３】  前記引用の少なくとも一部が、前記文書を含む既刊または近刊の書籍を識別する、請求項２２記載のデータ構造。
【請求項２４】  前記引用の少なくとも一部が、前記文書を含む既刊書籍のページ番号を識別することを特徴とする請求項２２に記載のデータ構造。
【請求項２５】  引用が裁判所による見解書のハードコピーを識別する、請求項２２記載のデータ構造。
【請求項２６】  ハイパーリンクまたはリソースロケータのデータ構造であって、
ドメインネームと、
前記ハイパーリンクを生成したアプリケーションプログラムを識別する情報を含むリクエストソースフィールドと、
を備えるデータ構造。
【請求項２７】  前記アプリケーションプログラムがワードプロセッサである、請求項２３記載のデータ構造。
【請求項２８】  コンピュータシステムにおいてハイパーリンクを定める方法であって、
第１の文書の一部をマークし、
前記ハイパーリンクに使用される２つ以上のテキストセグメントを与え、
１つ以上の所定優先順位に基づいて、前記２つ以上のテキストセグメントの少なくとも１つを含むように前記ハイパーリンクを定める方法。
【手続補正２】
【補正対象書類名】図面
【補正対象項目名】図１
【補正方法】変更
【補正の内容】
【図１】
2002535779.tif 000001
【手続補正３】
【補正対象書類名】図面
【補正対象項目名】図２
【補正方法】変更
【補正の内容】
【図２】
2002535779.tif 000002
【手続補正４】
【補正対象書類名】図面
【補正対象項目名】図３
【補正方法】変更
【補正の内容】
【図３】
2002535779.tif 000003
【手続補正５】
【補正対象書類名】図面
【補正対象項目名】図４
【補正方法】変更
【補正の内容】
【図４】
2002535779.tif 000004